(57)【要約】【課題】金管楽器の自動演奏において充分な音圧の楽音を生成する。【解決手段】可動弁部７４は、給気装置２６から空気Ａが供給される空間Ｒ1と金管楽器のマウスピース１４内の空間Ｒ2との間に配置される。可動弁部７４は、空間Ｒ1と空間Ｒ2とを遮断する第１位置と、第１位置から空間Ｒ1とは反対側に離間した位置であって空間Ｒ1と空間Ｒ2とを連通させる第２位置とに移動し得る。駆動装置６０は、楽音信号Ｖに応じて可動弁部７４を第１位置および第２位置に移動させる。【選択図】図２
2008107604.tif 000002
【特許請求の範囲】
【請求項１】
金管楽器のマウスピースが装着される金管楽器演奏用アクチュエータであって、
給気装置から気体が供給される第１空間と前記マウスピース内の第２空間との間に配置され、前記第１空間と前記第２空間とを遮断する第１位置と、前記第１位置から前記第１空間とは反対側に離間した位置であって前記第１空間と前記第２空間とを連通させる第２位置とに移動可能な可動弁部と、
電気信号に応じて前記可動弁部を前記第１位置および前記第２位置に移動させる駆動装置と
を具備する金管楽器演奏用アクチュエータ。
【請求項２】
前記駆動装置は、前記第１空間に配置されるとともに前記第２空間側の表面に前記可動弁部が固定された振動板と、前記電気信号に応じて前記振動板を振動させる駆動部とを含み、
前記振動板は、前記可動弁部が前記第１位置から前記第２位置に移動するときに前記第１空間を圧縮し、前記可動弁部が前記第２位置から前記第１位置に移動するときに前記第１空間を拡張する
請求項１に記載の金管楽器演奏用アクチュエータ。
【請求項３】
前記第１空間と前記第２空間との間に介在する隔壁部を具備し、
前記隔壁部には、前記第１空間と前記第２空間とを連通させる開口部が形成され、
前記可動弁部は、前記第１位置にある場合には前記隔壁部に接触して前記開口部を閉塞し、前記第２位置にある場合には前記隔壁部から前記第１空間とは反対側に離間する
請求項１または請求項２に記載の金管楽器演奏用アクチュエータ。
【請求項４】
前記可動弁部は、前記隔壁部に対して前記第２空間側に配置され、
前記可動弁部が前記第１位置にあるときに、前記可動弁部のうち外周縁に沿った領域と、前記隔壁部のうち前記開口部の内周縁に沿った領域とが接触する
請求項３に記載の金管楽器演奏用アクチュエータ。
【請求項５】
前記可動弁部の外周面は、当該可動弁部が移動する方向に沿って前記第１空間から離間するほど大径となる傾斜面であり、
前記隔壁部における前記開口部の内周面は、前記可動弁部の移動の方向に沿って前記第１空間から離間するほど大径となる傾斜面であり、
前記可動弁部が第１位置にあるとき、前記可動弁部の外周面と前記開口部の内周面とが接触する
請求項３に記載の金管楽器演奏用アクチュエータ。
【発明の詳細な説明】
【技術分野】
【０００１】
本発明は、金管楽器を自動的に演奏するための技術に関する。
【背景技術】
【０００２】
特許文献１には、マウスピースが装着された金管楽器を自動的に吹奏する技術が開示されている。図９に示すように、特許文献１に記載された演奏用アクチュエータは、マウスピース１４のリム部１４２に接触する可撓性の振動膜（メンブレンフィルム）９１と、電気信号に応じて振動膜９１を振動させる駆動装置９２と、振動膜９１を挟んでマウスピース１４側の空間Ｒaに空気Ａを供給する給気装置９３とを具備する。駆動装置９２が振動膜９１を振動させると振動膜９１とリム部１４２との間隙が変化するから、空間Ｒaからマウスピース１４内の空間（カップ）Ｒbに流入する空気Ａの流量が変動する。したがって、楽音信号に応じた楽音が金管楽器から出力される。
【特許文献１】特開２００４−２５８４４３号公報
【発明の開示】
【発明が解決しようとする課題】
【０００３】
図１０は、実際に人間が金管楽器を吹奏するときの口唇（上唇９５および下唇９６）とマウスピース１４との関係を示す概念図である。同図に示すように、上唇９５と下唇９６との間隙を通過した空気Ａが流入することでマウスピース１４内の空間Ｒbが加圧される。これに加えて、図１０に白抜の矢印で示すように、上唇９５および下唇９６は空気Ａの通過時にマウスピース１４に接近するから、空間Ｒbは上唇９５および下唇９６によっても加圧される。すなわち、上唇９５および下唇９６は、空間Ｒbに対する空気Ａの流入を制御する弁として機能するほか、各々の変位によって空間Ｒbを加圧および減圧させる振動板としても機能する。以上のように空気Ａと上唇９５および下唇９６とで空間Ｒbが加圧されるから、充分な音圧の楽音を金管楽器から出力することが可能となる。
【０００４】
一方、図９の構成においては、振動膜９１がマウスピース１４に接触した状態では空間Ｒaからマウスピース１４内の空間Ｒbに対する空気Ａの流入が停止し、振動膜９１がマウスピース１４から離間したときに空間Ｒaから空間Ｒbに空気Ａが流入する。すなわち、空気Ａの流入で空間Ｒb内が加圧されるときに振動膜９１は空間Ｒbを減圧させる方向に変位し、空気Ａの流入の停止で空間Ｒbが減圧されるときに振動膜９１は空間Ｒbを加圧させる方向に変位する。つまり、空気Ａの流入および停止による空間Ｒbの加圧および減圧と振動膜９１の変位による空間Ｒbの加圧および減圧との関係が、図１０に例示した現実の吹奏の仕組とは逆転している。以上の構成においては、空気Ａの流入による空間Ｒbの加圧または減圧の効果が振動膜９１の変位によって減殺されるから、充分な音圧の楽音を出力することが困難であるという問題がある。このような事情を背景として、本発明は、金管楽器の自動演奏において充分な音圧の楽音を出力するという課題の解決を目的としている。
【課題を解決するための手段】
【０００５】
以上の課題を解決するために、本発明のひとつの形態に係る金管楽器演奏用アクチュエータは、金管楽器のマウスピースが装着される金管楽器演奏用アクチュエータであって、給気装置から気体が供給される第１空間（例えば図２の空間Ｒ1）とマウスピース内の第２空間（例えば図２の空間Ｒ2）との間に配置され、第１空間と第２空間とを遮断する第１位置と、第１位置から第１空間とは反対側に離間した位置であって第１空間と第２空間とを連通させる第２位置とに移動可能な可動弁部と、電気信号に応じて可動弁部を第１位置および第２位置に移動させる駆動装置とを具備する。
【０００６】
以上の構成においては、第１位置から第１空間とは反対側に離間した第２位置に可動弁部が移動したときに第１空間と第２空間とが連通する。したがって、第１空間からの気体の流入と可動弁部の変位による押圧との双方の作用によって第２空間が加圧される。したがって、振動膜がマウスピース内の圧力を減殺するように変位する図９の構成と比較して、充分な音圧の楽音を生成することが可能となる。
【０００７】
本発明の好適な態様において、駆動装置は、第１空間に配置されるとともに第２空間側の表面に可動弁部が固定された振動板と、電気信号（例えば図２の楽音信号Ｖ）に応じて振動板を振動させる駆動部とを含み、振動板は、可動弁部が第１位置から第２位置に移動するときに第１空間を圧縮し、可動弁部が第２位置から第１位置に移動するときに第１空間を拡張する。以上の態様によれば、第１空間と第２空間とが連通するとき（第２空間が加圧されるとき）に第１空間が振動板によって圧縮され、第１空間と第２空間とが遮断されるとき（第２空間が減圧されるとき）に第１空間が振動板によって拡張される。したがって、駆動装置が振動板を持たない構成（例えば駆動装置が可動弁部を直接的に振動させる構成）と比較して楽音の音圧の範囲を拡大できる。
【０００８】
本発明の具体的な態様に係る金管楽器演奏用アクチュエータは、第１空間と第２空間との間に介在する隔壁部を具備し、隔壁部には、第１空間と第２空間とを連通させる開口部が形成され、可動弁部は、第１位置にある場合には隔壁部に接触するとともに開口部を閉塞し、第２位置にある場合には隔壁部から第１空間とは反対側に離間する。以上の態様によれば、可動弁部の移動に応じて開口部を開閉することで第１空間と第２空間との連通および遮断を確実に制御できる。
【０００９】
第１空間と第２空間との間に介在する隔壁部を備えた金管楽器演奏用アクチュエータの第１の態様において、可動弁部は、隔壁部に対して第２空間側に配置され、可動弁部が第１位置にあるときに、可動弁部のうち外周縁に沿った領域と、隔壁部のうち開口部の内周縁に沿った領域とが接触する。本態様によれば、可動弁部が第１位置から第２位置に移動し始めた段階で第１空間と第２空間とが連通するから、可動弁部に必要となる振幅が縮小される。なお、本態様の具体例は第１実施形態として後述される。
【００１０】
第２の態様において、可動弁部の外周面は、当該可動弁部が移動する方向に沿って第１空間から離間するほど大径となる傾斜面であり、隔壁部における開口部の内周面は、可動弁部の移動の方向に沿って第１空間から離間するほど大径となる傾斜面であり、可動弁部が第１位置にあるとき、可動弁部の外周面と開口部の内周面とは接触する。以上の態様においても、第１の態様と同様の理由により、可動弁部に要求される振幅が縮小される。さらに、可動弁部の外周面と開口部の内周面とは傾斜面であるから、第１空間と第２空間との間で気体が円滑に流動するという利点がある。なお、本態様の具体例は第２実施形態として後述される。
【００１１】
本発明の別の形態は、以上の各態様に係る金管楽器演奏用アクチュエータを具備する金管楽器演奏装置である。ひとつの態様に係る金管楽器演奏装置は、以上の各態様に係る金管楽器演奏用アクチュエータと、楽音を指定する演奏データに基づいて電気信号（楽音信号Ｖ）を生成して金管楽器演奏用アクチュエータの駆動装置に出力する音源手段（例えば図１の音源部２４）とを具備する。また、演奏者が操作する操作子（例えばピストンバルブ）を具備する金管楽器を演奏するための金管楽器演奏装置は、演奏データに基づいて操作子を駆動する駆動手段（例えば図１の駆動部２３）を具備する。
【発明を実施するための最良の形態】
【００１２】
＜Ａ：第１実施形態＞
図１は、本発明の第１実施形態に係る金管楽器演奏装置の構成を示すブロック図である。金管楽器演奏装置１００は、マウスピース１４が装着された金管楽器１０を自動演奏するための装置である。図１においては金管楽器１０としてトランペットが例示されている。
【００１３】
図１の記憶部２１は、楽曲の各楽音を指定する演奏データを記憶する。制御部２２は、記憶部２１に記憶された演奏データを駆動部２３および音源部２４に対して順次に出力する。駆動部２３は、演奏データに応じた金管楽器１０の操作子（ピストンバルブ）１２を例えばソレノイドによって選択的に押圧する。音源部２４は、演奏データに応じた楽音信号Ｖを生成して出力する。楽音信号Ｖは、マウスピース１４に対する空気の流入を制御するための信号である。給気装置２６は、外部の空気を圧縮して給気管２７に出力する手段（例えば圧縮ポンプ）である。
【００１４】
金管楽器１０のマウスピース１４は金管楽器演奏用アクチュエータ３０に装着される。金管楽器演奏用アクチュエータ３０は、給気管２７を介して供給される空気Ａを楽音信号Ｖに応じてマウスピース１４内に供給することでマウスピース１４内の空間を楽音信号Ｖに応じた圧力に制御する装置である。以上のように金管楽器演奏用アクチュエータ３０がマウスピース１４を吹奏するとともに駆動部２３が操作子１２を操作することで、金管楽器１０からは演奏データに応じた楽音（楽曲の演奏音）が出力される。
【００１５】
図２は、金管楽器演奏用アクチュエータ３０の具体的な構成を示す断面図である。同図に示すように、金管楽器演奏用アクチュエータ３０は、相互に対向する第１部材３１と第２部材３２とを具備する。第１部材３１と第２部材３２との間隙には平板状の隔壁部５０が介挿される。第１部材３１と第２部材３２とは、隔壁部５０を貫通する複数のネジ３４によって相互に固定される。また、隔壁部５０は、複数のネジ３５によって第２部材３２に固定される。
【００１６】
第１部材３１は、金管楽器１０のマウスピース１４を支持する部材である。図２に示すように、第１部材３１は、マウスピース１４のリム部（人間の口唇に接触する部分）１４２の外径と比較して僅かに大径な略円形の開口部３１２を有する。開口部３１２の内周面には、所定の間隔をあけて隔壁部５０に対向する突起部３１４が形成される。マウスピース１４は、リム部１４２が開口部３１２の内側にて突起部３１４と隔壁部５０とに挟持されることで、隔壁部５０とは反対側にシャンク（管状の部分）を向けた姿勢に固定される。
【００１７】
第２部材３２は、マウスピース１４の中心軸の方向からみて第１部材３１の開口部３１２と重なり合う略円形の開口部３２２を有する。開口部３２２の内側には駆動装置６０（ダイナミック型のスピーカユニット）が固定される。駆動装置６０は、外周縁がフレーム（図示略）に支持されたコーン状の振動板６２と、音源部２４から供給される楽音信号Ｖに応じて振動板６２を振動させる駆動部６４とを含む。駆動部６４は、楽音信号Ｖの供給で磁気ギャップ内のコイル（図示略）に発生した振動を振動板６２に伝達する機構である。振動板６２は、隔壁部５０に間隔をあけて対向する。したがって、隔壁部５０は、振動板６２と隔壁部５０との間隙の空間Ｒ1とマウスピース１４の内側の空間（カップ）Ｒ2との間に介在する。
【００１８】
第２部材３２には、第２部材３２を貫通して外部と空間Ｒ1とを連通する給気孔３２４が形成される。給気孔３２４には、給気管２７を第２部材３２に連結するためのコネクタ３７が装着される。給気装置２６が出力した空気Ａは、給気管２７とコネクタ３７と給気孔３２４とを経由して空間Ｒ1に供給される。
【００１９】
振動板６２のうち隔壁部５０との対向面には支持体７２を介して可動弁部７４が固定される。図３は、可動弁部７４や振動板６２や隔壁部５０の関係を示す平面図（図２の上方からみた平面図）である。図２および図３に示すように、隔壁部５０には略円形の開口部５２が形成される。空間Ｒ1と空間Ｒ2とは開口部５２を介して連通する。
【００２０】
可動弁部７４は、開口部５２よりも大径の略円形に成形された平板状の部材である。可動弁部７４の材料には、高硬度で軽量な材料（例えば、ポリエステルなどのプラスチックの板材やアルミニウムなど軽量な金属で形成された板材または厚手の紙）が好適に採用される。支持体７２は、振動板６２と可動弁部７４との間隙に介在する円筒状の部材である。すなわち、支持体７２のひとつの端面は振動板６２の表面に固定され、他方の端面は可動弁部７４の表面に固定される。図２および図３に示すように、可動弁部７４は、隔壁部５０からみて空間Ｒ2（マウスピース１４）側に位置する。したがって、支持体７２は開口部５２を貫通する。
【００２１】
以上のように可動弁部７４は振動板６２に固定されるから、駆動部６４が振動板６２に付与した振動に連動して可動弁部７４は変位する。さらに詳述すると、可動弁部７４は、空間Ｒ1と空間Ｒ2とを遮断する第１位置と、空間Ｒ1と空間Ｒ2とを連通させる第２位置とに移動し得る。各位置について詳述すると以下の通りである。
【００２２】
図２には、可動弁部７４が第１位置にある状態が図示されている。振動板６２が空間Ｒ2から最も離間したとき（振動の下端に変位したとき）に可動弁部７４は第１位置に存在する。図２に示すように、第１位置は、可動弁部７４が隔壁部５０に接触して開口部５２を閉塞する位置である。すなわち、図２および図３から理解されるように、可動弁部７４が第１位置にあるときには、可動弁部７４のうち外周縁に沿った領域と、隔壁部５０のうち開口部５２の内周縁に沿った領域とが接触する。したがって、空間Ｒ1と空間Ｒ2とは隔壁部５０と可動弁部７４とで遮断される。
【００２３】
図４は、可動弁部７４が第２位置にある状態を示す断面図である。同図においては、可動弁部７４が第１位置にあるときの振動板６２の断面が二点差線で図示されている。図４に示すように、振動板６２が空間Ｒ2に最も接近したとき（振動の上端に変位したとき）に可動弁部７４は第２位置に到達する。第２位置は、可動弁部７４が隔壁部５０から空間Ｒ1とは反対側（マウスピース１４側）に離間した位置である。したがって、空間Ｒ1と空間Ｒ2とは隔壁部５０の開口部５２を介して連通する。
【００２４】
楽音信号Ｖに応じた振動板６２の振動に連動して可動弁部７４が第１位置から第２位置までの範囲内で反復的に変位することで、マウスピース１４内の空間Ｒ2には楽音信号Ｖに応じた音波が発生する。すなわち、まず、振動板６２が図２の状態から隔壁部５０側に変位すると、給気装置２６から空間Ｒ1内に供給される空気が振動板６２によって圧縮されるとともに、可動弁部７４が第２位置に向かって隔壁部５０から離間することで空間Ｒ1と空間Ｒ2とが開口部５２を介して連通する。したがって、図４に矢印ｒで示すように、振動板６２で圧縮された空間Ｒ1内の空気が開口部５２から空間Ｒ2内に流入し、空間Ｒ2内の空気は圧縮（加圧）される。さらに、図４に白抜の矢印で示すように、振動板６２に連動して第２位置に接近する可動弁部７４によっても空間Ｒ2内の空気は圧縮される。
【００２５】
一方、振動板６２が図４の状態から隔壁部５０とは反対側に変位すると、空間Ｒ1は図４の状態と比較して拡張する。したがって、空間Ｒ1に連通する空間Ｒ2は図４の状態と比較して減圧される。さらに、振動板６２に連動して第１位置に接近する可動弁部７４によっても空間Ｒ2内の空気は減圧される。そして、可動弁部７４が図２のように第１位置に到達すると、空間Ｒ1と空間Ｒ2とが遮断されて両者間での空気の授受が停止する。以上のように振動板６２および可動弁部７４の振動によって空間Ｒ2の圧縮および膨張が反復されることで、空間Ｒ2内の空気の粗密に応じた音波（すなわち楽音信号Ｖに応じた周波数で振動する空気）がマウスピース１４内に発生して金管楽器１０の本体部に伝播する。
【００２６】
以上の説明から理解されるように、本形態における可動弁部７４は、空間Ｒ1と空間Ｒ2との連通および遮断を制御する弁としての機能に加えて、自身の変位によって空間Ｒ2を補助的に加圧および減圧する振動板としての機能も兼ね備える。すなわち、空気の流入によって空間Ｒ2が加圧されるときには空間Ｒ2をさらに圧縮するように可動弁部７４が変位し、空間Ｒ1と空間Ｒ2との遮断によって空間Ｒ2が減圧されるときには空間Ｒ2をさらに膨張させるように可動弁部７４が移動する。つまり、可動弁部７４は、空間Ｒ2の加圧および減圧に関して図１０の口唇（上唇９５および下唇９６）と同様に作用する。したがって、振動膜９１がマウスピース１４内の圧力の変動を減殺するように作用する図９の構成と比較して、充分な音圧の楽音を生成することが可能となる。
【００２７】
＜Ｂ：第２実施形態＞
本発明の第２実施形態について説明する。なお、本形態のうち作用や機能が第１実施形態と共通する要素については以上と同じ符号を付して各々の詳細な説明を適宜に省略する。
【００２８】
図５は、金管楽器演奏用アクチュエータ３０のうち可動弁部７４の近傍を拡大した断面図である。同図に示すように、可動弁部７４の外周面（側面）７５は、当該可動弁部７４における空間Ｒ2側の表面７６との仰角α1が鋭角をなす傾斜面である。すなわち、外周面７５は、可動弁部７４の移動する方向（図５の上下方向）に沿って空間Ｒ1から離間した位置ほど外径が増加するようにテーパ状に成形される。
【００２９】
一方、隔壁部５０における開口部５２の内周面５３は、可動弁部７４の外周面７５に沿う形状に形成される。さらに詳述すると、内周面５３は、隔壁部５０のうち空間Ｒ1に対向する表面５４との仰角α2が鋭角をなす傾斜面である。すなわち、内周面５３は、可動弁部７４の移動する方向に沿って空間Ｒ1から離間した位置ほど内径が増加するようにテーパ状に成形される。可動弁部７４の仰角α1と隔壁部５０の仰角α2とは略等しい。
【００３０】
図６の部分(a)は可動弁部７４が第１位置にある状態を示し、同図の部分(b)は可動弁部７４が第２位置にある状態を示す。図６の部分(a)に示すように、可動弁部７４が第１位置にある状態においては、可動弁部７４の外周面７５と隔壁部５０における開口部５２の内周面５３とが密着する。図６の部分(b)に示すように、第２位置は、可動弁部７４が隔壁部５０から空間Ｒ2側に離間した位置である。以上のように本形態においては可動弁部７４の外周面７５と開口部５２の内周面５３とが傾斜面とされるから、図６の部分(b)に矢印で示すように、空間Ｒ1から空間Ｒ2に流入する空気が可動弁部７４と開口部５２との間隙を円滑に通過できるという利点がある。
【００３１】
＜Ｃ：変形例＞
以上の各形態には様々な変形を加えることができる。具体的な変形の態様を例示すれば以下の通りである。なお、以下の各態様を適宜に組み合わせてもよい。
【００３２】
（１）変形例１  
可動弁部７４や支持体７２の具体的な形態は以上の各形態の例示に限定されない。例えば、多角形状や楕円形状（あるいは長円状）の板材を可動弁部７４に採用してもよい。また、振動板６２と可動弁部７４とを連結する柱状の部材も支持体７２として使用される。もっとも、以上の各形態のように支持体７２を中空（円筒状）の部材とした構成によれば、支持体７２が容易に軽量化されるから、可動弁部７４を効率的に振動させ得るという利点がある。
【００３３】
また、可動弁部７４と隔壁部５０との関係も以上の各形態から適宜に変更される。例えば、図７に示すように、可動弁部７４の外周面（側面）７５と隔壁部５０の開口部５２の内周面５３とが可動弁部７４の移動の方向に平行である構成も採用される。図７に示すように、可動弁部７４が第１位置にある状態では、可動弁部７４の外周面７５と開口部５２の内周面５３とが密着する。図７には、第２位置にある可動弁部７４の外形が二点差線で図示されている。
【００３４】
なお、図７の構成においては、隔壁部５０の厚さを上回る変位量だけ可動弁部７４を図７の第１位置から移動させた段階で初めて空間Ｒ1と空間Ｒ2とが連通するから、可動弁部７４の振幅（振動板６２の振幅）を充分に確保する必要がある。これに対し、第１実施形態や第２実施形態の構成においては、可動弁部７４が第１位置から第２位置に向かって移動し始めた段階で空間Ｒ1と空間Ｒ2とが連通するから、可動弁部７４（振動板６２）に必要となる振幅が図７の構成と比較して縮小される（したがって、駆動部６４の規模や消費電力が削減される）という利点がある。
【００３５】
（２）変形例２  
駆動装置６０の具体的な形態は任意である。開口部５２が可動弁部７４の変位に応じて開閉すれば空間Ｒ2内の空気に粗密が付与される（音波が発生する）から、空間Ｒ1を加圧および減圧するための振動板６２は省略され得る。すなわち、駆動装置６０が楽音信号Ｖに応じて直接的に（すなわち振動板６２を経由せずに）可動弁部７４を振動させる構成としてもよい。もっとも、振動板６２が空間Ｒ1を加圧および減圧する第１実施形態や第２実施形態の構成によれば、空間Ｒ2内の圧力の変動の範囲を充分に確保する（したがって、楽音の音圧を充分に上昇させる）ことが可能となる。
【００３６】
また、駆動装置６０が可動弁部７４を駆動するための構成も適宜に変更される。例えば、楽音信号Ｖに応じて振動する圧電素子の振動を伝達することで可動弁部７４を振動させる機構（圧電型のスピーカユニット）を駆動装置６０に採用してもよい。以上のように、本発明のひとつの形態における駆動装置６０は、楽音信号Ｖに応じて可動弁部７４を振動させる手段であれば足り、振動板６２の有無を含めて具体的な構成の如何は不問である。
【００３７】
（３）変形例３  
可動弁部７４がマウスピース１４の中心軸の方向に振動する構成や空間Ｒ1と空間Ｒ2とが開口部５２を介して直接的に連通する構成は必ずしも必要ではない。例えば、図８に示すように、第１部材３１の側面部にマウスピース１４が装着される構成も採用される。同図の構成においては、可動弁部７４の移動の方向（鉛直方向）とマウスピース１４の中心軸の方向（水平方向）とが直交する。また、空間Ｒ1と空間Ｒ2との間には、第１部材３１と隔壁部５０との間隙の空間ＲCが介在する。したがって、可動弁部７４が第２位置に変位すると、空間Ｒ1と空間Ｒ2とは空間ＲCを介して間接的に連通する。図８の構成によっても第１実施形態と同様の作用および効果が奏される。なお、第２実施形態に例示した可動弁部７４や隔壁部５０を図８の構成に採用してもよい。
【図面の簡単な説明】
【００３８】
【図１】本発明の第１実施形態に係る金管楽器演奏装置の構成を示すブロック図である。
【図２】金管楽器演奏用アクチュエータの構成を示す断面図である。
【図３】可動弁部や隔壁部の関係を示す平面図である。
【図４】可動弁部が第２位置にある様子を示す断面図である。
【図５】第２実施形態における可動弁部と隔壁部との関係を示す断面図である。
【図６】可動弁部が第１位置および第２位置の各々にある様子を示す断面図である。
【図７】変形例に係る可動弁部および隔壁部の構成を示す断面図である。
【図８】変形例に係る金管楽器演奏用アクチュエータの構成を示す断面図である。
【図９】従来の金管楽器演奏用アクチュエータの構成を示す断面図である。
【図１０】金管楽器を吹奏するときの口唇とマウスピースとの関係を示す断面図である。
【符号の説明】
【００３９】
１００……金管楽器演奏装置、１０……金管楽器、１２……操作子、１４……マウスピース、２１……記憶部、２２……制御部、２３……駆動部、２４……音源部、２６……給気装置、２７……給気管、３０……金管楽器演奏用アクチュエータ、３１……第１部材、３２……第２部材、３２４……給気孔、３７……コネクタ、５０……隔壁部、５２……開口部、５３……内周面、６０……駆動装置、６２……振動板、６４……駆動部、７２……支持体、７４……可動弁部、７５……外周面、Ｒ1，Ｒ2，ＲC……空間、Ａ……空気、Ｖ……楽音信号。
【図１】
2008107604.tif 000003
【図２】
2008107604.tif 000004
【図３】
2008107604.tif 000005
【図４】
2008107604.tif 000006
【図５】
2008107604.tif 000007
【図６】
2008107604.tif 000008
【図７】
2008107604.tif 000009
【図８】
2008107604.tif 000010
【図９】
2008107604.tif 000011
【図１０】
2008107604.tif 000012